(57)【要約】【課題】  プリセット機能の有無、記憶位置が不明、実行しているかどうか、記憶が更新されたのかどうか等が確認できず、誤操作や、操作性の不具合があった。【解決手段】  プリセット機能の有無、記憶位置、実行中か否か、記憶操作の有無が識別できるように、交換レンズシステムの場合は通信情報としてカメラに送り、また、撮像装置はそれらの情報を制御手段が判定し、ファインダーにそれらの情報が認識できるよう表示を行なうことで課題を解決させる。【選択図】  図１
2006030388.tif 000002
【特許請求の範囲】
【請求項１】
撮像手段を備えたカメラ、該カメラに着脱可能な光軸上移動する移動レンズ群を含む光学系により所定面上に物体像を形成する交換レンズからなる撮影装置において、該交換レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、カメラと通信を行う通信手段、レンズの制御を行うレンズ制御手段、該レンズ制御手段は該移動レンズ群の所定位置の記憶と該所定記憶位置まで移動を行うプリセット機能の有無情報を該カメラに通信することを特徴とする交換レンズシステム。
【請求項２】
該交換レンズシステムの該カメラは該レンズのプリセット機能有無情報により、該カメラにおける表示を変更することを特徴とする請求項１の交換レンズシステム。
【請求項３】
該交換レンズシステムの該カメラは該レンズのプリセット機能有無情報により、該カメラにおける表示をプリセット機能の有無がわかる内容を表示することを特徴とする請求項１の交換レンズシステム。
【請求項４】
撮像手段を備えたカメラ、該カメラに着脱可能な光軸上移動する移動レンズ群を含む光学系により所定面上に物体像を形成する交換レンズからなる撮影装置において、該交換レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、カメラと通信を行う通信手段、レンズの制御を行うレンズ制御手段、該レンズ制御手段は該移動レンズ群の所定位置の記憶と該所定記憶位置まで移動を行うプリセット機能を有し、該プリセット機能の該所定位置の記憶を行なう記憶手段の記憶の有無を該カメラに通信することを特徴とする交換レンズシステム。
【請求項５】
該交換レンズシステムの該カメラはファインダーなどの表示手段を有し、該レンズのプリセット機能の記憶手段の記憶有無情報から、該カメラの表示内容を変更することを特徴とする請求項４の交換レンズシステム。
【請求項６】
請求項４おいて該交換レンズシステムの該カメラはファインダーなどの表示手段を有し、該レンズのプリセット機能記憶手段の記憶有無情報が有のときに、該カメラは該プリセット機能の記憶があることがわかる内容を表示することを特徴とする請求項４の交換レンズシステム。
【請求項７】
撮像手段を備えたカメラ、該カメラに着脱可能な光軸上移動する移動レンズ群を含む光学系により所定面上に物体像を形成する交換レンズからなる撮影装置において、該交換レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、カメラと通信を行う通信手段、レンズの制御を行うレンズ制御手段、該レンズ制御手段は該移動レンズ群の所定位置の記憶と該所定記憶位置まで移動を行うプリセット機能を有し、該プリセット機能の該所定位置の記憶を行なう記憶手段の記憶の位置を該カメラに通信することを特徴とする交換レンズシステム。
【請求項８】
該交換レンズシステムの該カメラはファインダーなどの表示手段を有し、該レンズのプリセット機能記憶手段の記憶有無情報が有のときに、該カメラは該プリセット機能の記憶位置がどこであるかを示す内容を表示することを特徴とする請求項７の交換レンズシステム。
【請求項９】
撮像手段を備えたカメラ、該カメラに着脱可能な光軸上移動する移動レンズ群を含む光学系により所定面上に物体像を形成する交換レンズからなる撮影装置において、該交換レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、カメラと通信を行う通信手段、レンズの制御を行うレンズ制御手段を有し、該レンズ制御手段は該移動レンズ群の所定位置の記憶と該所定記憶位置まで移動を行うプリセット機能を有し、該プリセット機能の該所定位置の記憶操作を行なう記憶操作手段と、該記憶操作手段の操作に伴い該レンズ制御手段が該カメラに該記憶操作の情報を通信することを特徴とする交換レンズシステム。
【請求項１０】
該交換レンズシステムの該カメラはファインダーなどの表示手段を有し、該レンズのプリセット機能記憶操作情報から、該カメラの表示内容を変更することを特徴とする請求項９の交換レンズシステム。
【請求項１１】
該交換レンズシステムの該カメラはファインダーなどの表示手段を有し、該レンズのプリセット機能記憶操作情報が記憶操作があったとする内容のときに、該カメラの表示を記憶操作があったことを知らせる内容とすることを特徴とする請求項９の交換レンズシステム。
【請求項１２】
撮像手段を備えたカメラ、該カメラに着脱可能な光軸上移動する移動レンズ群を含む光学系により所定面上に物体像を形成する交換レンズからなる撮影装置において、該交換レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、カメラと通信を行う通信手段、レンズの制御を行うレンズ制御手段を有し、該レンズ制御手段は該移動レンズ群の所定位置の記憶と該所定記憶位置まで移動を行うプリセット機能を有し、該プリセット機能の該所定位置への実行操作を行う実行操作手段と、該実行操作手段の操作に伴い該レンズ制御手段が該カメラに該実行情報を通信することを特徴とする交換レンズシステム。
【請求項１３】
該交換レンズシステムの該カメラはファインダーなどの表示手段を有し、該レンズからのプリセット機能実行操作に伴う実行情報から、該カメラにおける表示手段の内容を変更することを特徴とする請求項１２の交換レンズシステム。
【請求項１４】
該交換レンズシステムの該カメラはファインダーなどの表示手段を有し、該レンズのプリセット機能実行情報が実行中とする内容のときに、該カメラの表示を実行中であることを知らせる内容とすることを特徴とする請求項１２の交換レンズシステム。
【請求項１５】
撮像手段を備えたカメラ、撮像画を表示する表示手段、光軸上移動する移動レンズ群を含む光学系により所定面上に物体像を形成するレンズを含む撮影装置において、該レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、レンズの制御を行う制御手段、該移動レンズ群の所定位置の記憶と該所定記憶位置まで移動を行うプリセット機能、該制御手段は該プリセット機能の該所定位置の記憶情報が有るときに、該プリセット機能の記憶があることを該表示手段に表示することを特徴とする撮像装置。
【請求項１６】
撮像手段を備えたカメラ、撮像画を表示する表示手段、光軸上移動する移動レンズ群を含む光学系により所定面上に物体像を形成するレンズからなる撮影装置において、該レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、レンズの制御を行う制御手段、該移動レンズ群の所定位置の記憶と該所定記憶位置まで移動を行うプリセット機能、該制御手段は該プリセット機能の該所定位置の記憶位置を、該表示手段に表示することを特徴とする撮像装置。
【請求項１７】
撮像手段を備えたカメラ、撮像画を表示する表示手段、光軸上移動する移動レンズ群を含む光学系により所定面上に物体像を形成するレンズからなる撮影装置において、レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、レンズ制御を行う制御手段、該制御手段は該移動レンズ群の所定位置の記憶と該所定記憶位置まで移動を行うプリセット機能を有し、該プリセット機能の該所定位置の記憶操作を行なう記憶操作手段と、該記憶操作手段の操作に伴い、該プリセット機能記憶操作があるときに、該表示手段に記憶操作を知らせる内容を表示することを特徴とする撮像装置。
【請求項１８】
撮像手段を備えたカメラ、撮像画を表示する表示手段、光軸上移動する移動レンズ群を含む光学系により所定面上に物体像を形成するレンズからなる撮影装置において、該レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、レンズの制御を行う制御手段、該制御手段は該移動レンズ群の所定位置の記憶と該所定記憶位置まで移動を行うプリセット機能を有し、該プリセット機能の該所定位置への実行操作を行う実行操作手段が実行中のときに、該表示手段に実行中であることを知らせる内容を表示することを特徴とする撮像装置。
【請求項１９】
ズームレンズまたは／及び撮影レンズの位置をプリセット可能なカメラにおいて、
前記レンズのプリセットを行うためのプリセット手段と、前記カメラがプリセットされている状態であることを表示可能な表示手段を有することを特徴とするカメラ。
【発明の詳細な説明】
【技術分野】
【０００１】
本発明は、レンズカメラ一体型撮影装置及び、交換可能なレンズ装置とこのレンズ装置が具備装着される撮影装置とから構成される静止画及び動画の撮影を行うカメラ等の撮像装置および交換レンズシステムに関するものである。
【背景技術】
【０００２】
図２０は従来例のブロック図である。
【０００３】
図中１は光学系であり、４つのレンズ群より成る４群構成のリアフォーカスズームレンズ（以下”ＲＦＺレンズ”と称する）より成っている。ＲＦＺレンズ１は固定レンズ群である第１のレンズ群（以下”前玉”と称する）１０１、移動レンズ群である変倍機能を有する第２のレンズ群（以下”バリエータ”と称する）１０２、固定レンズ群である第３のレンズ群（以下”アフォーカル”と称す）１０３、そして移動レンズ群であるフォーカス機能と、変倍に伴う結像面変動を補正するコンペンセータとしての機能を有する第４のレンズ群（以下”ＲＲ”と称する）１０４より成っている。
【０００４】
実際には、上記レンズ群は複数枚のレンズで構成されているが、各レンズ群の構成枚数については、特に限定するものではない。
【０００５】
２はＣＣＤ等の光電変換素子、３は光電変換素子２に入射する光量を調節するための絞り部材、４は絞り駆動手段で光電変換素子２に入射する光量が一定になるように絞り部材３を制御手段７によって駆動する。５は絞り位置検出手段、６は絞り位置検出手段５の出力を検出し、制御手段７に出力する検出回路である。
【０００６】
８・９は移動レンズ群１０２・１０４を駆動するためのステップモータ等の駆動手段、１０・１１は駆動手段８・９を駆動させるためのドライバである。
【０００７】
１２は光電変換素子２の出力を増幅させるアンプ、１３は信号をＮＴＳＣ映像信号等の信号に変換及びＡＦさせるためのＡＦ信号を生成するプロセス回路、１４はプロセス回路からのＡＦ信号によりＡＦ動作させるＡＦ手段である。尚、ＡＦ方法においては山登り式などが提案されており特開昭６２−１０３６１６号等によって公知となっているためここでは詳細な説明は省略する。
【特許文献１】特開昭６２−１０３６１６号公報
【発明の開示】
【発明が解決しようとする課題】
【０００８】
近年カメラ等の撮像装置はレンズの高付加価値化、高機能化の競争が激しく、また、撮影の幅を広げるための機能として所定操作により所定の記憶位置までフォーカスまたはズームを行うプリセット機能の搭載が強く望まれている。
【０００９】
しかしながら交換レンズシステムにおいてこれらの機能を搭載するにはその設定や状態、また、機能の有無などを撮影者に容易に知らせる手段がないため、以下の問題がある。
１．使用しているレンズのプリセット機能有無がわからない。
２．プリセットの記憶の有無がわからない。
３．プリセットの記憶位置がどこかわからない
４．プリセットの記憶が更新されたのかどうかがわからない。
５．プリセットが実行されているのかどうかわからない。
【００１０】
また、交換レンズシステムでないカメラレンズ一体型の撮像装置にプリセット機能がある場合においても上記課題２，３，４、５同様な課題としてある。
【００１１】
これらの問題によりファインダーから目を離しての操作による撮影機会の逸失や、プリセットの状態が分からないことによる誤操作を招き、交換レンズシステム、及び撮像装置としては極めて好ましくない。
【課題を解決するための手段】
【００１２】
上記課題を解決するために以下の手段を提案する。
【００１３】
上記課題１を解決する為に撮像手段を備えたカメラ、該カメラに着脱可能な光軸上移動する移動レンズ群を含む光学系により所定面上に物体像を形成する交換レンズからなる撮影装置において、該交換レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、カメラと通信を行う通信手段、レンズの制御を行うレンズ制御手段、該レンズ制御手段は該移動レンズ群の所定位置の記憶と該所定記憶位置まで移動を行うプリセット機能の有無情報を該カメラに通信することを特徴とする交換レンズシステムを提案する。
【００１４】
上記課題２を解決する為に撮像手段を備えたカメラ、該カメラに着脱可能な光軸上移動する移動レンズ群を含む光学系により所定面上に物体像を形成する交換レンズからなる撮影装置において、該交換レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、カメラと通信を行う通信手段、レンズの制御を行うレンズ制御手段、該レンズ制御手段は該移動レンズ群の所定位置の記憶と該所定記憶位置まで移動を行うプリセット機能を有し、該プリセット機能の該所定位置の記憶を行なう記憶手段の記憶の有無を該カメラに通信することを特徴とする交換レンズシステムを提案する。
【００１５】
また、課題２を解決する為に撮像手段を備えたカメラ、撮像画を表示する表示手段、光軸上移動する移動レンズ群を含む光学系により所定面上に物体像を形成するレンズからなる撮影装置において、該レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、レンズの制御を行う制御手段、該移動レンズ群の所定位置の記憶と該所定記憶位置まで移動を行うプリセット機能、該制御手段は該プリセット機能の該所定位置の記憶情報が有るときに、該プリセット機能の記憶があることを該表示手段に表示することを特徴とする撮像装置を提案する。
【００１６】
上記課題３を解決する為に撮像手段を備えたカメラ、該カメラに着脱可能な光軸上移動する移動レンズ群を含む光学系により所定面上に物体像を形成する交換レンズからなる撮影装置において、該交換レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、カメラと通信を行う通信手段、レンズの制御を行うレンズ制御手段、該レンズ制御手段は該移動レンズ群の所定位置の記憶と該所定記憶位置まで移動を行うプリセット機能を有し、該プリセット機能の該所定位置の記憶を行なう記憶手段の記憶の位置を該カメラに通信することを特徴とする交換レンズシステム。
【００１７】
また、上記課題３を解決する為に撮像手段を備えたカメラ、撮像画を表示する表示手段、光軸上移動する移動レンズ群を含む光学系により所定面上に物体像を形成するレンズからなる撮影装置において、該レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、レンズの制御を行う制御手段、該移動レンズ群の所定位置の記憶と該所定記憶位置まで移動を行うプリセット機能、該制御手段は該プリセット機能の該所定位置の記憶位置を、該表示手段に表示することを特徴とする撮像装置を提案する。
【００１８】
上記課題３を解決する為に、上記プリセット機能記憶手段の記憶有無情報が有のときに、該カメラは該プリセット機能の記憶位置がどこであるかを示す内容を表示することを提案する。
【００１９】
また、上記課題２を解決する為に撮像手段を備えたカメラ、撮像画を表示する表示手段、光軸上移動する移動レンズ群を含む光学系により所定面上に物体像を形成するレンズからなる撮影装置において、該レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、レンズの制御を行う制御手段、該移動レンズ群の所定位置の記憶と該所定記憶位置まで移動を行うプリセット機能、該制御手段は該プリセット機能の該所定位置の記憶情報が有るときに、該プリセット機能の記憶があることを該表示手段に表示することを特徴とする撮像装置を提案するとともに、上記課題３を解決する為に、上記プリセット機能記憶手段の記憶有無情報が有のときに、該カメラは該プリセット機能の記憶位置がどこであるかを示す内容を表示することを提案する。
【００２０】
上記課題４を解決する為に撮像手段を備えたカメラ、該カメラに着脱可能な光軸上移動する移動レンズ群を含む光学系により所定面上に物体像を形成する交換レンズからなる撮影装置において、該交換レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、カメラと通信を行う通信手段、レンズの制御を行うレンズ制御手段を有し、該レンズ制御手段は該移動レンズ群の所定位置の記憶と該所定記憶位置まで移動を行うプリセット機能を有し、該プリセット機能の該所定位置の記憶操作を行なう記憶操作手段と、該記憶操作手段の操作に伴い該レンズ制御手段が該カメラに該記憶操作の情報を通信することを特徴とする交換レンズシステムを提案する。
【００２１】
また、上記課題４を解決する為に撮像手段を備えたカメラ、撮像画を表示する表示手段、光軸上移動する移動レンズ群を含む光学系により所定面上に物体像を形成するレンズからなる撮影装置において、レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、レンズ制御を行う制御手段、該制御手段は該移動レンズ群の所定位置の記憶と該所定記憶位置まで移動を行うプリセット機能を有し、該プリセット機能の該所定位置の記憶操作を行なう記憶操作手段と、該記憶操作手段の操作に伴い、該プリセット機能記憶操作があるときに、該表示手段に記憶操作を知らせる内容を表示することを特徴とする撮像装置。
【００２２】
上記課題５を下記決する為に撮像手段を備えたカメラ、該カメラに着脱可能な光軸上移動する移動レンズ群を含む光学系により所定面上に物体像を形成する交換レンズからなる撮影装置において、該交換レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、カメラと通信を行う通信手段、レンズの制御を行うレンズ制御手段を有し、該レンズ制御手段は該移動レンズ群の所定位置の記憶と該所定記憶位置まで移動を行うプリセット機能を有し、該プリセット機能の該所定位置への実行操作を行う実行操作手段と、該実行操作手段の操作に伴い該レンズ制御手段が該カメラに該実行情報を通信することを特徴とする交換レンズシステムを提案する。
【００２３】
また、上記課題５を下記決する為に撮像手段を備えたカメラ、撮像画を表示する表示手段、光軸上移動する移動レンズ群を含む光学系により所定面上に物体像を形成するレンズからなる撮影装置において、該レンズは光軸上移動する焦点調節のための移動レンズ群、変倍のための該移動レンズ群を含む光学系により所定面上に物体像を形成し、該移動レンズ群を駆動させるレンズ駆動手段、該移動レンズ群の位置を検出する位置検出手段、レンズの制御を行う制御手段、該制御手段は該移動レンズ群の所定位置の記憶と該所定記憶位置まで移動を行うプリセット機能を有し、該プリセット機能の該所定位置への実行操作を行う実行操作手段が実行中のときに、該表示手段に実行中であることを知らせる内容を表示することを特徴とする撮像装置。
【発明の効果】
【００２４】
以上の説明から、本発明によれば以下に示す課題、
１．使用しているレンズのプリセット機能有無がわからない。
２．プリセットの記憶の有無がわからない。
３．プリセットの記憶位置がどこかわからない
４．プリセットの記憶が更新されたのかどうかがわからない。
５．プリセットが実行されているのかどうかわからない。
を解決でき、これらの課題によりファインダーから目を離しての操作による撮影機会の逸失や、プリセットの状態が分からないことによる誤操作を招くといったことがなくなる交換レンズシステム、及び撮像装置が提供できる。
【発明を実施するための最良の形態】
【００２５】
［第１の実施形態］
第１の実施例に関して述べる。
【００２６】
図１は本実施例を示したブロック図で本発明は、交換レンズタイプの実施例を示すものである。
【００２７】
図中１は光学系であり、４つのレンズ群より成る４群構成のリアフォーカスズームレンズ（以下”ＲＦＺレンズ”と称する）より成っている。ＲＦＺレンズ１は固定レンズ群である第１のレンズ群（以下”前玉”と称する）１０１、移動レンズ群である変倍機能を有する第２のレンズ群（以下”バリエータ”と称する）１０２、固定レンズ群である第３のレンズ群（以下”アフォーカル”と称す）１０３、そして移動レンズ群であるフォーカス機能と、変倍に伴う結像面変動を補正するコンペンセータとしての機能を有する第４のレンズ群（以下”ＲＲ”と称する）１０４より成っている。
【００２８】
実際には、上記レンズ群は複数枚のレンズで構成されているが、各レンズ群の構成枚数については、特に限定するものではない。
【００２９】
２はＣＣＤ等の光電変換素子、３は光電変換素子２に入射する光量を調節するための絞り部材、４は絞り駆動手段で光電変換素子２に入射する光量が一定になるように絞り部材３を制御手段７によって駆動する。５は絞り位置検出手段、６は絞り位置検出手段５の出力を検出し、制御手段７に出力する検出回路である。
【００３０】
８・９は移動レンズ群１０２・１０４を駆動するためのステップモータ等の駆動手段、１０・１１は駆動手段８・９を駆動させるためのドライバである。
【００３１】
１２は光電変換素子２の出力を増幅させるアンプ、１３は信号をＮＴＳＣ映像信号等の信号に変換及びＡＦさせるためのＡＦ信号を生成するプロセス回路、１４はプロセス回路からのＡＦ信号によりＡＦ動作させるＡＦ手段である。尚、ＡＦ方法においては山登り式などが提案されており特開昭６２−１０３６１６合等によって公知となっているためここでは詳細な説明は省略する。
【００３２】
１５はプリセットモード選択スイッチでフォーカスプリセット、ズームプリセットを選択できる。１８はプリセット記憶スイッチ、１９はプリセット実行スイッチで、プリセットモード選択スイッチがフォーカスプリセットモードを選択しているときはフォーカスプリセットの記憶、実行となり、また、プリセットモード選択スイッチがズームプリセットモードを選択しているときはズームプリセットの選択、実行を行なうものである。例えばプリセットモード選択スイッチ１５がズームプリセットモードを選択していたとき、プリセット記憶スイッチ１８が操作されたときのズーム位置を制御手段７にある記憶手段に記憶し、プリセット実行スイッチ１８の操作により現在のズーム位置と比較し、異なっていたら記憶位置までズームを行わせるプリセット機能を行い、また、プリセットモード選択スイッチ１５がフォーカスプリセットモードを選択していたとき、プリセット記憶スイッチ１８が操作されたときのフォーカス位置を制御手段７にある記憶手段に記憶し、プリセット実行スイッチ１８の操作により現在のフォーカス位置と比較し、異なっていたら記憶位置までフォーカスを行わせるプリセット機能を行うものである。
【００３３】
プリセット機能の記憶、実行のフローを図２に示す。以下はフォーカス及びズームにおいてそれぞれ共通したフローで、それぞれについて説明するものである。２０１において記憶操作手段１８の操作を検出し、操作が検出されたら２０２において現在の位置を制御手段７にある記憶手段に記憶する。２０３において実行操作手段１９の操作が行われているかどうかを判定し、実行されていなければ戻り、実行されていれば２０４において記憶位置と現在の位置を比較する。現在の位置と記憶位置が同じであればフローを抜け、現在の位置と異なれば２０５において記憶位置と比較し、駆動方向を求める。次に２０６において駆動を行い、２０４において記憶位置との比較を行い、同じになるまで同様の処理を行う。
【００３４】
カメラユニットの制御手段２０はカメラのズームキー命令やＡＦのための合焦信号を生成するプロセス回路１３の出力および、絞り動作のための出力などをカメラ接点２２及びレンズ接点２３を介し、レンズユニット制御手段７に通信を行う。レンズユニット制御手段７はその情報からズームｙＡＦや絞りの動作を行い、ズーム位置フォーカス位置、絞り位置等をカメラユニット制御手段に通信で送るなど、それぞれの制御手段は送受信が可能である。ファインダー１７は撮像画を表示するだけでなく、撮影に必要な情報を表示するものである。本実施例の目的は交換レンズがフォーカス、またはズームプリセット機能があるか無いかをカメラのファインダーにて確認できるようにすることにあり、前記レンズ制御手段７はカメラとの通信内容にプリセット機能の有無を持つようにしたものである。また、前述したプリセットモードの選択の形態、および、モード選択スイッチと記憶、実行スイッチの手段、構成については上記に限定するものではない。
【００３５】
例えば交換レンズユニットの制御手段７はあらかじめそのレンズにフォーカスプリセット、ズームプリセット機能有無の情報を持ち、レンズはカメラにその情報を通信する。カメラはレンズの通信によりプリセット機能があることを認識すると、図３のようにファインダー上にプリセット機能があるとフォーカスプリセットの場合「ＦＰ  ＯＮ」ズームプリセットの場合「ＺＰ  ＯＮ」、無い場合はフォーカスプリセットの場合「ＦＰ  ＯＦＦ」ズームプリセットの場合「ＺＰ  ＯＦＦ」と表示したり、あるいは図４ａ、４ｂのようにプリセット機能が無い場合はフォーカス表示がそれぞれ「ＭＦ」または「ＡＦ」と表示のものが「ＭＦＰ」、「ＡＦＰ」となったり、また、ズームプリセットがない場合は何も表示しなかったものがある場合は「ＺＰ」と表示するなど、あるときと無いときでカメラは表示の内容を変更することができる。
【００３６】
上記図３の内容のフローを図５に示す。
【００３７】
レンズ制御手段７は５０１においてレンズが装着され、カメラからの電源がＯＮされると、５０２にいてこのレンズがフォーカス及びズームプリセット機能があるか無いかを検出し、５０３においてフォーカスプリセット、ズームプリセット機能それぞれについての有無をカメラに送信し、５０４においてカメラ制御部２０はレンズからのデータによりフォーカスプリセットの有無を判定し、フォーカスプリセットがあれば５０５においてファインダーに「ＦＰ  ＯＮ」、なければ５０６において「ＦＰ  ＯＦＦ」と表示し、また、５０７においてズームプリセットがあるかどうかを判定し、あれば５０８においてファインダーに「ＺＰ  ＯＮ」、なければ５０９において「ＺＰ  ＯＦＦ」と表示する。
【００３８】
上記図４の内容のフローを図６に示す。
【００３９】
レンズ制御手段７は６０１においてレンズが装着され、カメラからの電源がＯＮされると、６０２にいてこのレンズがフォーカス及びズームプリセット機能があるか無いかを判定し、６０３においてフォーカスプリセット、ズームプリセット機能それぞれについての有無をカメラに送信し、６０４においてカメラ制御部２０はレンズからのデータによりフォーカスプリセットの有無を判定し、フォーカスプリセットがあれば６０５においてＡＦならばファインダーに「ＡＦＰ」ＭＦならば「ＭＦＰ」、なければ６０６においてＡＦならば「ＡＦ」ＭＦならば「ＭＦ」と表示し、また、６０７においてズームプリセットの有無を判定し、あれば６０８においてファインダーに「ＺＰ」、なければ６０９において何も表示しない。
【００４０】
以上のように、プリセット機能の有無によって表示を変更することで、レンズのプリセット機能の有無をファインダーにて確認できるようになることによりプリセット機能がレンズにあるかどうかの確認をファインダーから目を離さずに行なえ、操作性の向上や、撮影機会の逸失を減少させることができる。
【００４１】
［第２の実施形態］
第２の実施例に関して述べる。
【００４２】
本実施例を示したブロック図は図１で本発明は、実施例１と同一である。
【００４３】
１５はプリセットモード選択スイッチでフォーカスプリセット、ズームプリセットを選択できる。１８はプリセット記憶スイッチ、１９はプリセット実行スイッチで、プリセットモード選択スイッチがフォーカスプリセットモードを選択しているときはフォーカスプリセットの記憶、実行となり、また、プリセットモード選択スイッチがズームプリセットモードを選択しているときはズームプリセットの選択、実行を行なうものである。例えばプリセットモード選択スイッチ１５がズームプリセットモードを選択していたとき、プリセット記憶スイッチ１８が操作されたときのズーム位置を制御手段７が記憶し、プリセット実行スイッチ１８の操作により現在のズーム位置と比較し、異なっていたら記憶位置までズームを行わせるプリセット機能を行い、また、プリセットモード選択スイッチ１５がフォーカスプリセットモードを選択していたとき、プリセット記憶スイッチ１８が操作されたときのフォーカス位置を制御手段７が記憶し、プリセット実行スイッチ１８の操作により現在のフォーカス位置と比較し、異なっていたら記憶位置までフォーカスを行わせるプリセット機能を行うものである。
【００４４】
カメラユニットの制御手段２０はカメラのズームキー命令やＡＦのための合焦信号を生成するプロセス回路１３の出力および、絞り動作のための出力などをカメラ接点２２及びレンズ接点２３を介し、レンズユニット制御手段７に通信を行う。レンズユニット制御手段７はその情報からズームｙＡＦや絞りの動作を行い、ズーム位置フォーカス位置、絞り位置等をカメラユニット制御手段に通信で送るなど、それぞれの制御手段は送受信が可能である。本実施例の目的は交換レンズがフォーカス、またはズームプリセットの記憶があるか無いかをカメラのファインダーにて確認できるようにすることにあり、前記レンズ制御手段７はカメラとの通信内容にプリセット機能記憶情報の有無を持つようにしたものである。また、前述したプリセットモードの選択の形態、および、モード選択スイッチと記憶、実行スイッチの手段、構成については上記に限定するものではない。
【００４５】
例えば交換レンズユニットの制御手段７はフォーカスプリセット、ズームプリセット機能の記憶位置情報を持ち、レンズはカメラにそれぞれの記憶位置情報の有無を通信する。カメラはレンズの通信によりフォーカス及びズームプリセットの記憶位置情報があることを認識すると、図７のようにフォーカスプリセットの場合ファインダー上に「ＦＰ」ズームプリセットの場合「ＺＰ」、無い場合はフォーカスプリセット、ズームプリセット共に何も表示しないとするなど、記憶があるときとないときで表示の内容を変更し、記憶があることを示すことができる。
【００４６】
また、図８のように記憶がある場合は記憶位置がわかるような表示を行なうと更に使用勝手を著しく向上させることができる。この場合プリセットの記憶情報の有無とともに、プリセットの記憶位置情報をレンズがカメラに送信することで容易に実現できる。
【００４７】
フォーカスプリセットの場合記憶情報とともに、がある場合ファインダー上にバーを表示させ、そのバーの端は至近から無限を示し、そのバー上に記憶したフォーカス位置を示す。また、ズームプリセットの場合同様に記憶位置がある場合はファインダー上にバーを表示させ、そのバーの端はワイドからテレを示し、そのバー上に記憶したズーム位置を示す。無い場合はフォーカスプリセット、ズームプリセット共に何も表示しないとするなど、記憶位置があるときとないときで表示の内容を変更し、記憶位置情報があるときはそれぞれ視覚的にどの被写体距離、どの焦点距離にあるかを示すことができる。
【００４８】
上記図７の内容のフローを図９に示す。
【００４９】
９０１においてスタートし、９０２においてレンズ制御手段７はレンズがフォーカス及びズームプリセットの記憶があるか無いかを検出し、９０３においてフォーカスプリセット、ズームプリセット機能それぞれについての記憶の有無をカメラに送信し、９０４においてカメラ制御部２０はレンズからのデータによりフォーカスプリセットプリセットの記憶の有無を判定しフォーカスプリセットの記憶があれば９０５においてファインダーに「ＦＰ」、なければ９０６において何も表示しない、また、９０７においてズームプリセットの記憶の有無を判定し、あれば９０８においてファインダーに「ＺＰ」、なければ９０９において何も表示しない。
【００５０】
上記図８の内容のフローを図１０に示す。
【００５１】
１００１においてスタートし、１００２においてレンズ制御手段７はレンズがフォーカス及びズームプリセットの記憶位置情報があるか無いかを検出し、１００３においてフォーカスプリセット、ズームプリセット機能それぞれについての記憶位置情報をカメラに送信し、１００４においてカメラ制御部２０はレンズからのデータによりフォーカスプリセットの記憶の有無を判定しフォーカスプリセットの記憶があれば１００５においてファインダー上に記憶位置表示を行い、なければ１００６において何も表示しない、また、１００７においてズームプリセットの記憶の有無を判定し、記憶があれば１００８においてファインダーに記憶位置表示を行い、なければ１００９において何も表示しない。
【００５２】
以上のように、レンズのフォーカス及びズームプリセット機能の記憶の有無及び記憶位置情報をファインダーにて確認できるようになることによりプリセット位置の記憶が行なわれているかどうか、また、記憶位置がどこにあるのかどうかががファインダーから目を離さずに行なえ、操作性の向上や、撮影機会の逸失を減少させることができる。
【００５３】
［第３の実施例］
第３の実施例に関して述べる。
【００５４】
本実施例を示したブロック図は図１で実施例１、２と同一である。
【００５５】
本発明の目的はレンズにプリセット機能があり、プリセットの記憶操作が行なわれたときに操作が行なわれたことをファインダー上で確認する為にプリセットのレンズ制御手段７は記憶操作を検出し、操作が行なわれ、記憶を行なうときにカメラに対して記憶操作情報を送信し、カメラはその情報からファインダーにおいて記憶操作が行われたことを示すことにより、記憶操作の確認を撮影者がファインダー上で行なえるようにしたものである。これにより、記憶したつもりがしていなかったりといった誤操作を防ぐことができる。
【００５６】
例えば、交換レンズユニットの制御手段７はフォーカスプリセット、ズームプリセット機能の記憶操作が行なわれると、レンズはカメラにそれぞれの記憶操作があったことを通信する。カメラはレンズの通信によりフォーカス及びズームプリセットの記憶操作があったことを認識すると、図１１のようにフォーカスプリセットの場合ファインダー上に「ＦＰ  ＳＥＴ」ズームプリセットの場合「ＺＰ  ＳＥＴ」とそれぞれ表示し、操作が終了すると「ＦＰ」、「ＺＰ」と表示を操作に伴って「ＳＥＴ」の部分を表示しないように変更する。このように記憶操作があるときとないときで表示の内容を変更し、記憶操作があったことを示すことができる。
【００５７】
上記図１１の内容のフローを図１２に示す。
【００５８】
１２０１においてスタートし、１２０２においてレンズ制御手段７はレンズがフォーカス及びズームプリセットの記憶操作があるか無いかを検出し、１２０３においてフォーカスプリセット、ズームプリセット機能それぞれについての記憶操作の有無をカメラに送信し、１２０４においてカメラ制御部２０はレンズからのデータによりフォーカスプリセットの記憶操作の有無を判定し、あれば１２０５においてファインダーに「ＦＰ  ＳＥＴ」、なければ１２０６において「ＦＰ」を表示、また、１２０７においてズームプリセットの記憶操作の有無を判定し、あれば１２０８においてファインダーに「ＺＰ  ＳＥＴ」、なければ１２０９において「ＺＰ」を表示する。
【００５９】
以上のように、レンズのフォーカス及びズームプリセット機能の記憶操作の有無情報をレンズからカメラに送信することでカメラのファインダーにてその記憶操作が確認できるようになることによりプリセット位置の記憶の更新が行なわれたかどうかがファインダーから目を離さずに行なえ、操作性の向上や、撮影機会の逸失を減少させることができる。
【００６０】
［第４の実施例］
第４の実施例に関して述べる。
【００６１】
本実施例を示したブロック図１で実施例１、２、３と同一である。
【００６２】
本発明の目的はレンズにプリセット機能があり、プリセットの実行操作が行なわれたときに実行が行なわれていることをファインダー上で確認する為にプリセットのレンズ制御手段７は実行操作を検出し、実行が行なわれているときにカメラに対して実行中の情報を送信し、カメラはその情報からファインダーにおいて実行中であることを示すことにより、実行の確認を撮影者がファインダー上で行なえるようにしたものである。これにより、フォーカスおよびズームのプリセットが実行中かどうかが判断でき、実行操作を繰り返してしまったり、実行させたつもりがしていなかったりといった誤操作を容易に防ぐことができる。
【００６３】
例えば交換レンズユニットの制御手段７はフォーカスプリセット、ズームプリセット機能の実行操作が行なわれると、レンズはカメラにそれぞれの実行中であることを通信する。カメラはレンズの通信によりフォーカス及びズームプリセットの実行中であることを認識すると、図１３のようにフォーカスプリセットの場合ファインダー上に「ＦＰ  ＯＮ」ズームプリセットの場合「ＺＰ  ＯＮ」とそれぞれ表示し、実行が終了すると「ＦＰ」、「ＺＰ」と表示を実行動作に伴って「ＯＮ」の部分を表示しないように変更する。このように実行中であるときとないときで表示の内容を変更し、実行中であったことを示すことができる。
【００６４】
上記図１３の内容のフローを図１４に示す。
【００６５】
１４０１においてスタートし、１４０２においてレンズ制御手段７はレンズがフォーカス及びズームプリセットの記憶があるか無いかを判定し、１４０３においてフォーカスプリセット、ズームプリセット機能それぞれについての実行の有無をカメラに送信し、１４０４においてカメラ制御部２０はレンズからのデータによりファインダーにフォーカスプリセット及びズームプリセットの実行の有無を判定し１４０５においてフォーカスプリセットの実行操作があれば１４０６においてファインダーに「ＦＰ  ＯＮ」、なければ１４０７において「ＦＰ」を表示、また、１４０８においてズームプリセットの実行操作があれば１４０９においてファインダーに「ＺＰ  ＯＮ」、なければ１３１０において「ＺＰ」を表示する。
【００６６】
以上のように、レンズのフォーカス及びズームプリセット機能の実行操作の有無情報をレンズからカメラに送信することでカメラのファインダーにてその実行状態が確認できるようになりプリセット実行したつもりがしていなかったり、また、実行しているにもかかわらず再度実行させてしまったりといった操作、確認がファインダーから目を離さずに行なえ、操作性の向上や、撮影機会の逸失を減少させることができる。
【００６７】
［実施例５］
本実施例を示したブロック図は図１５で、本実施例の目的、効果は本実施例２と同様であり、実施例２の構成が交換レンズシステムに対して本実施例はカメラレンズ一体型の撮像装置である点が異なるものである。
【００６８】
図１５で、実施例１，２，３，４、と同一部分については説明を省略する。
【００６９】
１５はプリセットモード選択スイッチでフォーカスプリセット、ズームプリセットを選択できる。１８はプリセット記憶スイッチ、１９はプリセット実行スイッチで、プリセットモード選択スイッチがフォーカスプリセットモードを選択しているときはフォーカスプリセットの記憶、実行となり、また、プリセットモード選択スイッチがズームプリセットモードを選択しているときはズームプリセットの選択、実行を行なうものである。例えばプリセットモード選択スイッチ１５がズームプリセットモードを選択していたとき、プリセット記憶スイッチ１８が操作されたときのズーム位置を制御手段７が記憶し、プリセット実行スイッチ１８の操作により現在のズーム位置と比較し、異なっていたら記憶位置までズームを行わせるプリセット機能を行い、また、プリセットモード選択スイッチ１５がフォーカスプリセットモードを選択していたとき、プリセット記憶スイッチ１８が操作されたときのフォーカス位置を制御手段７が記憶し、プリセット実行スイッチ１８の操作により現在のフォーカス位置と比較し、異なっていたら記憶位置までフォーカスを行わせるプリセット機能を行うものである。制御手段１６はカメラのズームキー命令やプロセス回路１３の出力からズーム駆動、ＡＦを行なったり、絞り動作行う。ファインダー１７は撮像を表示するだけでなく、撮影に必要な情報を表示するものである。
【００７０】
本実施例の目的はフォーカス、またはズームプリセットの記憶があるか無いかをファインダーで確認できるようにすることにあり操作性の向上を実現させることに有る。プリセットモード選択スイッチ１５の形態、モード選択スイッチ１５と記憶スイッチ１８、実行スイッチ１９の構成については上記に限定するものではなく、フォーカスプリセット、ズームプリセット共に実行させることができたり、また、フォーカス、ズームプリセットそれぞれで操作スイッチ、実行スイッチを設ける構成としてもよい。
【００７１】
例えば制御手段１６はフォーカスプリセット、ズームプリセット機能の記憶位置情報を持ち、レンそれぞれの記憶位置情報の有無がわかる。制御手段１６はフォーカス及びズームプリセットの記憶位置があることを認識すると、図７のようにフォーカスプリセットの場合ファインダー上に「ＦＰ」ズームプリセットの場合「ＺＰ」、無い場合はフォーカスプリセット、ズームプリセット共に何も表示しないとするなど、記憶があるときとないときで表示の内容を変更し、記憶があることを示すことができる。
【００７２】
また、図８のように記憶がある場合は記憶位置がわかるような表示を行なうと更に使用勝手を著しく向上させることができる。プリセットの記憶位置情報を表示することで容易に実現できる。
【００７３】
フォーカスプリセットの場合記憶がある場合ファインダー上にバーを表示させ、そのバーの端は至近から無限を示し、そのバー上に記憶したフォーカス位置を示す。また、ズームプリセットの場合同様に記憶位置がある場合はファインダー上にバーを表示させ、そのバーの端はワイドからテレを示し、そのバー上に記憶したズーム位置を示す。無い場合はフォーカスプリセット、ズームプリセット共に何も表示しないとするなど、記憶位置があるときとないときで表示の内容を変更し、記憶位置情報があるときはそれぞれ視覚的にどの被写体距離、どの焦点距離にあるかを示すことができる。
【００７４】
上記図７の内容のフローを図１６に示す。
【００７５】
１６０１において制御手段１６はフォーカス及びズームプリセットの記憶があるか無いかを検出し、１６０２においてフォーカスプリセットの記憶の有無を判定し、あれば１６０３においてファインダーに「ＦＰ」、なければ１６０４において何も表示しない、また、１６０５においてズームプリセットの記憶の有無を判定し、あれば１６０６においてファインダーに「ＺＰ」、なければ１６０７において何も表示しない。
【００７６】
上記図８の内容のフローを図１７に示す。
【００７７】
１７０１において制御手段１６はフォーカス及びズームプリセットの記憶位置情報があるか無いかを検出し、１７０２においてフォーカスプリセットの記憶位置の有無を判定し、あれば１７０３においてファインダー上に記憶位置表示を行い、なければ１７０４において何も表示しない、また、１７０５においてズームプリセットの記憶位置の有無を判定し、あれば１７０６においてファインダーに記憶位置表示を行い、なければ１７０７において何も表示しない。
【００７８】
以上のように、フォーカス及びズームプリセット機能の記憶の有無及び記憶位置情報をファインダーにて確認できるようになることによりプリセット位置の記憶が行なわれているかどうか、また、記憶位置がどこにあるのかどうかががファインダーから目を離さずに行なえ、操作性の向上や、撮影機会の逸失を減少させることができる。
【００７９】
［第６の実施例］
第６の実施例に関して述べる。
【００８０】
本実施例を示したブロック図は図１５で実施例５と同一で、本実施例の目的、効果は本実施例３と同様であり、実施例３の構成が交換レンズシステムに対して本実施例はカメラレンズ一体型の撮像装置である点が異なるものである。
【００８１】
図１５で、実施例１，２，３，４、５と同一部分については説明を省略する。
【００８２】
本発明の目的はレンズにプリセット機能があり、プリセットの記憶操作が行なわれたときに操作が行なわれたことをファインダー上で確認する為に制御手段１６はプリセットの記憶操作を検出し、記憶を行なうときにファインダーにおいて記憶操作が行われたことを示すことにより、記憶操作の確認を撮影者がファインダー上で行なえるようにしたものである。これにより、記憶したつもりがしていなかったり、記憶がされたのかどうかがわからないといったことを防ぐことができる。
【００８３】
制御手段１６はフォーカスプリセット、ズームプリセット機能の記憶操作が行なわれると、図１１のようにフォーカスプリセットの場合ファインダー上に「ＦＰ  ＳＥＴ」ズームプリセットの場合「ＺＰ  ＳＥＴ」とそれぞれ表示し、操作が終了すると「ＦＰ」、「ＺＰ」と表示を操作に伴って「ＳＥＴ」の部分を表示しないように変更する。このように記憶操作があるときとないときで表示の内容を変更し、記憶操作があったことを示すことができる。
【００８４】
上記図１１の内容のフローを図１８に示す。
【００８５】
１８０１において制御手段１６はフォーカス及びズームプリセットの記憶操作手段１８が操作されているかどうかを検出し、１８０２においてフォーカスプリセット記憶操作の有無を判定し、あれば１８０３においてファインダーに「ＦＰ  ＳＥＴ」、なければ１８０４において「ＦＰ」を表示、また、１８０５においてズームプリセットの記憶操作の有無を判定し、あれば１８０６においてファインダーに「ＺＰ  ＳＥＴ」、なければ１８０７において「ＺＰ」を表示する。
【００８６】
以上のように、レンズのフォーカス及びズームプリセット機能の記憶操作の有無をカメラのファインダーにて確認できるようになることによりプリセット位置の記憶の更新が行なわれたかどうかがファインダーから目を離さずに行なえ、操作性の向上や、撮影機会の逸失を減少させることができる。
【００８７】
［第７の実施例］
第７の実施例に関して述べる。
【００８８】
本実施例を示したブロック図は図１５で実施例５と同一で、本実施例の目的、効果は本実施例４と同様であり、実施例４の構成が交換レンズシステムに対して本実施例はカメラレンズ一体型の撮像装置である点が異なるものである。
【００８９】
図１５で、実施例１，２，３，４、５、６と同一部分については説明を省略する。
【００９０】
本発明の目的は、プリセットの実行操作が行なわれたときに実行が行なわれていることをファインダー上で確認する為に制御手段１６はプリセットの実行操作を検出し、実行が行なわれているときにファインダーにおいて実行中であることを示すことにより、実行の確認を撮影者がファインダー上で行なえるようにしたものである。これにより、フォーカスおよびズームのプリセットが実行中かどうかを判断でき、実行操作を繰り返してしまったり、実行させたつもりがしていなかったりといった誤操作を容易に防ぐことができる。
【００９１】
例えば制御手段１６はフォーカスプリセット、ズームプリセット機能の実行操作が行なわれると、記憶位置が現在のフォーカス、ズーム位置と異なればムフォーカス及びズームプリセットの実行が行なわれ、実行中であることを認識できる。すると、図１３のようにフォーカスプリセットの場合ファインダー上に「ＦＰ  ＯＮ」ズームプリセットの場合「ＺＰ  ＯＮ」とそれぞれ表示し、実行が終了すると「ＦＰ」、「ＺＰ」と表示を実行動作に伴って「ＯＮ」の部分を表示しないように変更する。このように実行中であるときとないときで表示の内容を変更し、実行中であったことを示すことができる。
【００９２】
上記図１３の内容のフローを図１９に示す。
【００９３】
１９０１において制御手段１６はフォーカス及びズームプリセットの実行操作手段１９の操作を検出し、１９０２においてフォーカスの実行の有無を判定し、実行操作があれば１９０３においてファインダーに「ＦＰ  ＯＮ」、なければ１９０４において「ＦＰ」を表示、また、１９０５においてズームプリセットの実行の有無を判定し、あれば１９０６においてファインダーに「ＺＰ  ＯＮ」、なければ１９０７において「ＺＰ」を表示する。
【００９４】
以上のように、レンズのフォーカス及びズームプリセット機能の実行の有無をファインダーにて確認できるようになりプリセット実行したつもりがしていなかったり、また、実行しているにもかかわらず再度実行させてしまったりといった操作、確認がファインダーから目を離さずに行なえ、操作性の向上や、撮影機会の逸失を減少させることができる。
【図面の簡単な説明】
【００９５】
【図１】実施例１、２，３，４の図
【図２】実施例１の図
【図３】実施例１の図
【図４】実施例１の図
【図５】実施例１のフローチャート
【図６】実施例１のフローチャート
【図７】実施例２の図
【図８】実施例２の図
【図９】実施例２のフローチャート
【図１０】実施例２のフローチャート
【図１１】実施例３の図
【図１２】実施例３の図
【図１３】実施例３のフローチャート
【図１４】実施例３のフローチャート
【図１５】実施例４の図
【図１６】実施例４のフローチャート
【図１７】実施例５のフローチャート
【図１８】実施例６のフローチャート
【図１９】実施例７のフローチャート
【図２０】従来例のブロック図
【図１】
2006030388.tif 000003
【図２】
2006030388.tif 000004
【図３】
2006030388.tif 000005
【図４】
2006030388.tif 000006
【図５】
2006030388.tif 000007
【図６】
2006030388.tif 000008
【図７】
2006030388.tif 000009
【図８】
2006030388.tif 000010
【図９】
2006030388.tif 000011
【図１０】
2006030388.tif 000012
【図１１】
2006030388.tif 000013
【図１２】
2006030388.tif 000014
【図１３】
2006030388.tif 000015
【図１４】
2006030388.tif 000016
【図１５】
2006030388.tif 000017
【図１６】
2006030388.tif 000018
【図１７】
2006030388.tif 000019
【図１８】
2006030388.tif 000020
【図１９】
2006030388.tif 000021
【図２０】
2006030388.tif 000022